(57)【特許請求の範囲】
【請求項１】
直交交周波数分割多重（OFDM）方式の通信システムで使用されるチャネル送信法であって、
入力される移動局の位置情報および送信すべきチャネルの種別に応じて、ソフトコンバイニングを行う複数のセクタを決定し、
前記決定した複数のセクタの各々に対して、復調に用いるパイロット信号とソフトコンバイニングを行うチャネルのデータとを含む送信信号を生成、送信し、
前記移動局において、前記複数のセクタからの送信信号を、ガードインターバルの範囲内で合成受信させる
ことを特徴とするチャネル送信方法。
【請求項２】
前記ソフトコンバイニングを行うチャネルは、ハンドオーバ時のデータチャネル、前記複数のセクタに共通のページングチャネル、前記複数のセクタに共通の報知情報を含む報知チャネル、およびマルチメディア・ブロードキャスト／マルチキャスト・サービス（ＭＢＭＳ）チャネルを含むことを特徴とする請求項１に記載のチャネル送信方法。
【請求項３】
前記パイロット信号として、前記複数のセクタに対して同一のパイロット信号を生成し、
前記ソフトコンバイニングを行うチャネルとして、前記複数のセクタに対して同一のチャネルを生成する
ことを特徴とする請求項１に記載のチャネル送信方法。
【請求項４】
前記パイロット信号として、前記複数のセクタに対して、互いに直交する系列を乗算したパイロット信号を生成し、
前記ソフトコンバイニングを行うチャネルとして、前記複数のセクタに対して同一のチャネルを生成する
ことを特徴とする請求項１に記載のチャネル送信方法。
【請求項５】
前記パイロット信号として、前記複数のセクタに対して、互いに直交する系列を乗算したパイロット信号を生成し、
前記ソフトコンバイニングを行うチャネルとして、前記複数のセクタに対して、前記パイロット信号に適用したのと等しい直交系列を乗算したチャネルを生成する
ことを特徴とする請求項１に記載のチャネル送信方法。
【請求項６】
前記パイロット信号を、前記複数のセクタに対して、互いに異なる時間または周波数軸を用いて送信し、
前記ソフトコンバイニングを行うチャネルとして、前記複数のセクタに対して同一のチャネルを生成する
ことを特徴とする請求項１に記載のチャネル送信方法。
【請求項７】
前記パイロット信号として、前記複数のセクタに対して、互いに異なる系列を乗算したパイロット信号を生成し、
前記ソフトコンバイニングを行うチャネルとして、前記パイロット信号に乗算された系列と相関の高い系列を乗算したチャネルを生成する
ことを特徴とする請求項１に記載のチャネル送信方法。
【請求項８】
直交周波数分割多重（OFDM）方式の通信システムで使用される基地局であって、
管轄する複数のセクタの各々に対応して設けられる信号生成部と、
入力される移動局の位置情報および送信すべきチャネルの種別に応じて、前記複数のセクタの中からソフトコンバイニングを行う２以上のセクタを決定し、決定されたセクタに対応する信号生成部に、復調に用いるパイロット信号とソフトコンバイニングを行うチャネルのデータとを含む送信信号を生成させる制御部と、
前記移動局において、前記決定された２以上のセクタから前記送信信号をガードインターバルの範囲内で合成受信できるように、前記送信信号を決定されたセクタの各々に対して送信する送信部と
を備えることを特徴とする基地局。
【請求項９】
前記制御部は、前記移動局の位置情報に基づいて、ハンドオーバが行われるセクタに対応する信号生成部を選択し、
前記信号生成部は、前記ソフトコンバイニングを行うチャネルとして、ハンドオーバ時のデータチャネルを生成する
ことを特徴とする請求項８に記載の基地局。
【請求項１０】
前記制御部は、前記送信すべきチャネルがページングチャネル、前記複数のセクタ間で共通の報知情報を含む報知チャネル、またはマルチメディア・ブロードキャスト／マルチキャスト・サービス（ＭＢＭＳ）チャネルである場合に、前記管轄する複数のセクタのすべてに対応する信号生成部を選択し、
前記信号生成部は、前記ソフトコンバイニングを行うチャネルとして、前記ページングチャネル、報知チャネル、またはＭＢＭＳチャネルのデータを生成する
ことを特徴とする請求項８に記載の基地局。
【請求項１１】
前記決定されたセクタのそれぞれに対応する信号生成部は、
前記パイロット信号として、同一のパイロット信号を生成し、
前記ソフトコンバイニングを行うチャネルとして、同一の内容のチャネルを生成する
ことを特徴とする請求項８に記載の基地局。
【請求項１２】
前記決定されたセクタのそれぞれに対応する信号生成部は、
前記パイロット信号として、互いに直交する系列を乗算したパイロット信号を生成し、
前記ソフトコンバイニングを行うチャネルとして、同一のチャネルを生成する
ことを特徴とする請求項８に記載の基地局。
【請求項１３】
前記決定されたセクタのそれぞれに対応する信号生成部は、
前記パイロット信号として、互いに直交する系列を乗算したパイロット信号を生成し、
前記ソフトコンバイニングを行うチャネルとして、前記パイロット信号に適用したのと等しい直交系列を乗算したチャネルを生成する
ことを特徴とする請求項８に記載の基地局。
【請求項１４】
前記決定されたセクタのそれぞれに対応する信号生成部は、
前記パイロット信号に対して、互いに異なる時間または周波数軸を割り当て、
前記ソフトコンバイニングを行うチャネルとして、同一のチャネルを生成する
ことを特徴とする請求項８に記載の基地局。
【請求項１５】
前記決定されたセクタのそれぞれに対応する信号生成部は、
前記パイロット信号として、互いに異なる系列を乗算したパイロット信号を生成し、
前記ソフトコンバイニングを行うチャネルとして、前記パイロット信号に乗算された系列またはコートと相関の高い系列を乗算したチャネルを生成する
ことを特徴とする請求項８に記載の基地局。
【発明の詳細な説明】
【技術分野】
【０００１】
本発明は、広くは移動通信の分野に関し、特に、移動局におけるソフトコンバイニング受信を可能にするチャネル送信方法と、基地局構成に関する。
【背景技術】
【０００２】
ＯＦＤＭ（Orthogonal Frequency Division Multiplexing）方式などのマルチキャリア伝送方式では、送信側で情報信号を複数の互いに直交するサブキャリアで変調して並列伝送する。マルチパス遅延波による波形歪を低減するために、送信信号において、シンボルごとにガードインターバルが挿入される。
【０００３】
一方、アクセスユーザ数（容量）の増大を図るために、１つの基地局カバーするエリアを複数のセクタに分割し、異なるセクタに異なる周波数や異なるコードを割り当てるセクタ化が行われている。セクタごとに異なる周波数やコードを割り当てることによって、セクタ間の干渉を低減している。しかし、セルあるいはセクタの境界に位置するユーザにおいては、セル間、セクタ間の干渉により、受信品質の劣化が生じてしまう。
【０００４】
一般に、異なるセクタ間では、同一基地局内であっても異なるパターンまたは異なる内容の信号を下りリンクで送信しているが、一定エリア内の移動局に着信を知らせるページング信号は、そのエリア内に存在する複数のセクタにわたって同一の信号を送信する。また、第３世代の規格を進化させるＥｖｏｌｖｅｄ  ＵＴＲＡ  （Universal Terrestrial Radio Access）では、一定エリア内の複数の不特定あるいは特定のユーザに対してマルチメディアデータの送信を行うブロードキャスト（放送）／マルチキャスト（同報）伝送（ＭＢＭＳ：Multimedia Broadcast/Multicast Service）を適用する予定であるが、この場合も、一定エリア内の複数のセルまたはセクタに対して、同一の信号を送信する。
【発明の開示】
【発明が解決しようとする課題】
【０００５】
本発明は、セクタ化された移動通信システムにおいて、ＯＦＤＭ伝送の特質を利用して受信品質を高める技術を提供することを課題とする。
【課題を解決するための手段】
【０００６】
ＯＦＤＭを用いる下りリンク無線アクセス方式では、ガードインターバルの範囲内での遅延であれば、複数のパスで伝播した同一の信号を合成受信して、いわゆる遅延ダイバーシティにより受信品質を改善し得る。
【０００７】
この原理を利用すると、一定エリア内に存在するユーザに対して同じデータを伝送する放送／同報型のマルチメディアサービス（ＭＢＭＳ）チャネルやページングチャネルに関しては、異なるセクタからマルチパス伝播する信号を、ガードインターバルの範囲内で合成受信することによって、受信品質を向上できると考えられる。ＯＦＤＭ伝送におけるガードインターバル内での合成受信を、便宜上「ソフトコンバイニング受信」と称することとする。
【０００８】
ソフトコンバイニング受信は、ＭＢＭＳチャネルやページングチャネルだけでなく、異なるセクタから同一信号を送信する可能性のあるチャネル全般に適用できるはずである。
【０００９】
そこで、直交周波数分割多重（ＯＦＤＭ）方式の通信システムにおいて、ソフトコンバイニングを行う可能性のあるチャネルと、その復調に用いるパイロット信号の具体的な送信方法と、基地局構成を提供する。
【００１０】
本発明の第１の側面では、チャネル送信方法は、
（ａ）入力される移動局の位置情報および／または送信すべきチャネルの種別に応じて、ソフトコンバイニングを行う複数のセクタを決定し、
（ｂ）前記決定した複数のセクタの各々に対して、復調に用いるパイロット信号とソフトコンバイニングを行うチャネルのデータとを含む送信信号を生成、送信し、
（ｃ）前記移動局において、前記複数のセクタからの送信信号を、ガードインターバルの範囲内で合成受信させる
ことを特徴とする。
【００１１】
良好な実施例では、前記ソフトコンバイニングを行うチャネルは、ハンドオーバ時のデータチャネル、前記複数のセクタに共通のページングチャネル、前記複数のセクタに共通の報知情報を含む報知チャネル、およびマルチメディア・ブロードキャスト／マルチキャスト・サービス（ＭＢＭＳ）チャネルを含む。
【００１２】
第１の送信例として、パイロット信号として、前記複数のセクタに対して同一のパイロット信号を生成、送信し、ソフトコンバイニングを行うチャネルとして、前記複数のセクタに対して同一のチャネルを生成、送信する。
【００１３】
第２の送信例として、パイロット信号として、前記複数のセクタに対して、互いに直交する系列またはコードを乗算したパイロット信号を生成、送信し、ソフトコンバイニングを行うチャネルとして、前記複数のセクタに対して同一のチャネルを生成、送信する。
【００１４】
第３の送信例として、パイロット信号として、前記複数のセクタに対して、互いに直交する系列またはコードを乗算したパイロット信号を生成、送信し、ソフトコンバイニングを行うチャネルとして、前記複数のセクタに対して、前記パイロット信号に適用したのと等しい直交系列を乗算したチャネルを生成、送信する。
【００１５】
第４の送信例として、パイロット信号を、前記複数のセクタに対して、互いに異なる時間または周波数軸を用いて送信し、ソフトコンバイニングを行うチャネルとして、前記複数のセクタに対して同一のチャネルを生成、送信する。
【００１６】
第５の送信例として、パイロット信号として、前記複数のセクタに対して、互いに異なる系列またはコードを乗算したパイロット信号を生成、送信し、ソフトコンバイニングを行うチャネルとして、前記パイロット信号に乗算された系列またはコートと相関の高い系列を乗算したチャネルを生成、送信する。
【００１７】
本発明の第２の側面では、ＯＦＤＭ方式の通信システムで使用される基地局構成を提供する。この基地局は、
（ａ）管轄する複数のセクタの各々に対応して設けられる信号生成部と、
（ｂ）入力される移動局の位置情報および／または送信すべきチャネルの種別に応じて、前記複数のセクタの中からソフトコンバイニングを行う２以上のセクタを決定し、決定されたセクタに対応する信号生成部に、復調に用いるパイロット信号とソフトコンバイニングを行うチャネルのデータとを含む送信信号を生成させる制御部と、
（ｃ）前記移動局において、前記決定された２以上のセクタから前記送信信号をガードインターバルの範囲内で合成受信できるように、前記送信信号を決定されたセクタの各々に対して送信する送信部と
を備える。
【００１８】
たとえば制御部は、移動局の位置情報に基づいて、ハンドオーバが行われるセクタに対応する信号生成部を選択し、信号生成部は、ソフトコンバイニングを行うチャネルとして、ハンドオーバ時のデータチャネルを生成する。
【００１９】
別の例として、制御部は、送信すべきチャネルがページングチャネル、前記複数のセクタ間で共通の報知情報を含む報知チャネル、またはマルチメディア・ブロードキャスト／マルチキャスト・サービス（ＭＢＭＳ）チャネルである場合に、管轄する複数のセクタのすべてに対応する信号生成部を選択し、信号生成部は、ソフトコンバイニングを行うチャネルとして、ページングチャネル、報知チャネル、またはＭＢＭＳチャネルのデータを生成する。
【発明の効果】
【００２０】
上述したチャネル送信方法および基地局構成によれば、複数のセクタにわたって同一の内容のチャネルを送信し得る場合に、移動局が、複数のセクタからガードインターバルの範囲内で同期して到達する信号を合成受信することができる。
【００２１】
したがって、セル境界、セクタ境界に位置する場合でも、受信品質を改善することができる。
【発明を実施するための最良の形態】
【００２２】
以下、本発明の良好な実施の形態について、添付図面を参照して説明する。
【００２３】
図１は、ソフトコンバイニングの適用が可能なチャネルと、ソフトコンバイニングを実施する地理的領域の例を示す。
【００２４】
図１（Ａ）では、複数のセクタにわたって送信される同一チャネルの例として、ハンドオーバ時のデータチャネルを示す。移動局１０は、基地局２０が管轄するセクタ１からセクタ２、あるいはセクタ２からセクタ１に移動中である。この場合、ソフトコンバイニングを実施するエリアは、ハンドオーバが行われるセクタ１とセクタ２である。基地局２０は、同じ内容のデータチャネルをセクタ１とセクタ２に送信する。移動局１０は、セクタ１とセクタ２の双方からデータチャネルを受信し、ガードインターバル内でこれらのデータチャネルをソフトコンバイニング受信する。
【００２５】
このように、ＯＦＤＭを用いる下りリンクで、複数のセクタ１，２からのチャネルの送信タイミングの同期をとって、すなわちガードインターバル内で合成受信（同期合成受信またはソフトコンバイニング受信）することによって、セクタ境界であっても、受信品質を改善することができる。
【００２６】
図１（Ｂ）の例では、複数のセクタにわたって送信される同一チャネルの例として、セクタ間で共通のページングチャネルと、報知チャネルを示す。この場合、ソフトコンバイニングを実施するエリアは、基地局２０のすべてのセクタ１〜３である。
【００２７】
一般に、報知チャネルは、セクタごとに異なる内容の報知情報を送信しているが、報知する情報の種類によっては、複数のセクタ間で共通するものもある。たとえば、コアネットワークから移動局に対するシステム情報や、チャネル構成に関する情報がそうである。そのような場合、基地局２０は、セクタ１〜３に対して同じ報知チャネルを送信する。移動局１０は、同じ内容の報知チャネルをセクタ１、セクタ２、セクタ３から受け取り、ガードインターバル内でソフトコンバイニング受信する。
【００２８】
図１（Ｃ）の例では、複数のセクタにわたって送信される同一チャネルの例として、特定のエリア内で共通するページングチャネル、報知チャネル、ＭＢＭＳを示す。この場合、ソフトコンバイニングを実施するエリアは、基地局２０Ａに含まれるセクタ１Ａ、セクタ２Ａと、隣接する基地局２０Ｂに含まれるセクタ１Ｂ、セクタ３Ｂである。基地局２０Ａと基地局２０Ｂのセル境界近傍に位置する移動局１０は、それぞれの基地局２０Ａ、２０Ｂから送信される同一のチャネルを、セクタ１Ａ、セクタ２Ａ、セクタ１Ｂ、セクタ３Ｂを介してソフトコンバイニング受信する。  
図１（Ｄ）の例では、複数のセクタにわたって送信される同一チャネルの例として、一定のサービスエリアをカバーして送信されるＭＢＭＳチャネルを示す。この場合、ソフトコンバイニングが実施されるエリアは、複数の基地局２０Ａ、２０Ｂのすべてのセクタ１Ａ〜３Ａおよびセクタ１Ｂ〜３Ｂにわたる。
【００２９】
次に、図２〜図９を参照して、ソフトコンバイニングを実現するための具体的な送信方法を説明する。
【００３０】
図２は、ソフトコンバイニングのための送信方法（１）を示す。この送信方法は、基地局２０において、ソフトコンバイニングを行う複数のセクタ１〜３に対し、復調に用いるパイロット信号３１と、ソフトコンバイニングを行うチャネル３２の双方について、同一の送信信号を送信する。
【００３１】
ソフトコンバイニングを行うチャネルの例としては、図１（Ａ）に示すデータチャネル、図１（Ｂ）に示すページングチャネルや報知チャネル、図１（Ｄ）に示すＭＢＭＳチャネルがある。受信側では、各セクタからの送信信号１，２、３を合成受信する。パイロット信号を用いて、各送信信号１，２，３が合成された後の伝播路応答を求めた後、この値をソフトコンバイニングされたチャネルの復調に用いる。
【００３２】
図３は、移動局１０の構成例１を示す。図３の構成の移動局１０Ａは、ソフトコンバイニング受信した合成受信信号からパイロットチャネル３１を抽出するパイロットチャネル抽出部１１と、抽出したパイロットチャネルからチャネル推定するチャネル推定部１２Ａと、チャネル推定値を用いてパイロットチャネルが分離された後のチャネル３２の変動を補償するチャネル変動補償部１３とを有する。チャネル変動が補償されたチャネル３２は、復調、復号処理部（不図示）へ供給される。
【００３３】
図４は、基地局２０の構成を示す。移動局１０にソフトコンバイニング受信をさせるために、基地局２０は、セクタ１〜３に対応して設けられる信号生成部２２−１〜２２−３と、ソフトコンバイニングを適用するセクタに応じて対応する信号生成部２２を選択制御する制御部２１を有する。制御部２１は、入力されるチャネルの種別や、移動局の位置情報などに応じて、どのセクタに対応する信号生成部２２にソフトコンバイニング用の同一チャネルを生成させるかを決定する。各信号生成部２２は、対応するセクタに送信するパイロット信号３１を生成するパイロット信号生成部２３と、ソフトコンバイニングを行うチャネル３２のデータ生成部２４を有する。
【００３４】
たとえば、図１（Ａ）の例では、ハンドオーバする移動局１０のために、セクタ１とセクタ２とでソフトコンバイニングを実施する。このとき、基地局２０の制御部２１は、移動局１０の位置情報から、移動局１０がセクタ１とセクタ２の間でハンドオーバしつつあることを認識する。そこで、セクタ１および２に対応する信号生成部２２−１、２２−２を選択し、これらの信号生成部２２のパイロット生成部２３−１、２３−２に、同一のパイロット信号３１を生成させる。また、これらの信号生成部２２のチャネルデータ生成部２４に、ソフトコンバイニングを行うチャネル３２として、同一のデータチャネルの内容を生成させる。
【００３５】
一方、図１（Ｂ）のような場合は、制御部２１は、入力されるチャネルの種別、たとえばページングチャネルや、共通情報を報知する場合の報知チャネルに応じて、すべてのセクタ１〜３に対応する信号生成部２２−１〜２２−３を選択する。信号生成部２２−１〜２２−３は、同じパイロット信号を生成し、ソフトコンバイニングを行うチャネル３２として、同じ内容のページングチャネルまたは報知チャネルを生成する。そして、セクタごとに、パイロット信号３１とチャネル３２を合成して送信信号を生成し、図示しない送信部から、対応するセクタに対して信号を送信する。
【００３６】
このように、基地局２０は、移動局１０の状態、送信しようとするチャネルの種別等に応じて、ソフトコンバイニングを実施させるセクタに応じた信号生成部２２を選択する。そして、選択した複数のセクタのために同一のパイロット信号３１と、同一内容のチャネル３２を生成することによって、受信側で複数セクタからのソフトコンバイニング受信を可能にし、受信品質を高めることができる。
【００３７】
図５は、ソフトコンバイニングを行う場合の送信方法（２）を示す。送信方法（２）では、復調に用いるパイロット信号３１については、互いに直交する系列（コード）を乗算して送信し、ソフトコンバイニングを行うチャネルについては、同一の信号を送信する。
【００３８】
受信側では、送信信号ごとに、直交するパイロット信号を用いて各送信信号の伝播路応答を求めた後、各伝播路応答を合成し、合成チャネル推定値（伝播路応答）を用いて、ソフトコンバイニングを行うチャネルの復調を行う。
【００３９】
なお、便宜上、同じ内容のチャネル含む送信信号１〜３を対応するセクタ１〜３に送信する例をとって説明しているが、図１（Ａ）のように、２つのセクタについてソフトコンバイニングを実施する場合は、基地局２０は、送信信号１、２について、パイロットに直交コードを乗算して送信信号を生成する。また、図１（Ｄ）のように、隣接する基地局２０Ａ，２０Ｂのすべてのセクタにわたって同一のチャネルを送信する場合は、基地局２０Ａ，２０Ｂの各々が、送信信号１〜３について図５の送信方法を適用する。
【００４０】
図６は、移動局１０の構成例２を示す概略ブロック図である。図６の移動局１０Ｂは、送信方法（２）に適している。パイロットチャネル抽出部１１は、ソフトコンバイニング受信した合成信号から、パイロット信号とその他のチャネルとを分離、抽出する。チャネル推定部１２Ｂは、各パイロットに対応したチャネル推定部１２−１、１２−２、１２−３によりチャネル推定値を求め、加算器１４で合成して、合成後のチャネル推定値を出力する。チャネル変動補償部１３は、パイロットが除去された残りのチャネルについて、合成後のチャネル推定（伝播路応答）からチャネル補償を行い、復調、復号処理部（不図示）へ供給する。
【００４１】
この送信方法（２）および移動局１０Ｂの構成を採用すると、基地局２０側で、ソフトコンバイニング都度、各セクタのためにパイロット信号のパターンを同一に切り替える必要がない。すなわち、制御部２１は、通常セクタごとに異なるパターンで送信される通常のパイロット信号をそのまま用いて、ソフトコンバイニングを行うセクタに送信されるパイロット信号に対して、互いに直交する系列（コード）を適用するだけでよい。
【００４２】
図７は、ソフトコンバイニングを行う場合の送信方法（３）を示す。送信方法（３）では、復調に用いるパイロット信号３１について、互いに直交する系列（コード）を乗算して送信し、かつ、ソフトコンバイニングを行うチャネルについても、パイロット信号と同一の直交系列を乗算して送信する。したがって、パイロットとソフトコンバイニングを行うチャネルとのパターンの関係は、送信信号１，２，３で同じになる。
【００４３】
受信側では、互いに直交するパイロット信号を用いて、各送信信号が合成された状態での伝播路応答を求め、この伝播路応答に基づいて、ソフトコンバイニングを行うチャネルを復調する。この場合の移動局は、図３に示す移動局１０Ａの構成１を採用する。
【００４４】
送信方法（３）も、送信方法（２）と同様に、セクタごとに送信しているパイロットのパターンをそのまま用いて、ソフトコンバイニングに供することができる。
【００４５】
図８は、ソフトコンバイニングを行う場合の送信方法（４）を示す。各セクタへ送信される送信信号１〜３において、復調に用いるパイロット信号については、互いに異なる時間、または周波数軸を用いて送信する。ソフトコンバイニングを行うチャネルについては、同一の信号を送信する。たとえば、送信信号１のパイロット３１は、シンボル１またはサブキャリア１を用いて送信し、送信信号２のパイロット３１は、シンボル２またはサブキャリア２を用いて送信し、送信信号３のパイロット３１は、シンボル３またはサブキャリア３を用いて送信する。
【００４６】
受信側では、送信信号ことに異なる時間または周波数軸で受信されるパイロット信号を用いて、送信信号ごとに伝播路応答を求めた後、これらの伝播路応答を合成し、合成チャネル推定値（伝播路応答）を用いて、ソフトコンバイニングを行うチャネルの補償、復調を行う。この場合の移動局の構成は、図６に示す移動局１０Ｂの構成２と同様である。
【００４７】
図９は、ソフトコンバイニングを行う場合の送信方法（５）を示す。各セクタへ送信される送信信号１〜３において、復調に用いるパイロット信号については、互いに異なる系列（コード）を乗算して送信し、ソフトコンバイニングを行うチャネルについては、パイロット信号に乗算された系列と相関の高い系列を乗算して送信する。
【００４８】
受信側では、送信信号ごとに異なる系列のパイロット信号を用いて、各送信信号が合成された後の伝播路応答を求め、この伝播路応答に基づいて、ソフトコンバイニングを行うチャネルの補償、復調を行う。移動局の構成としては、図３に示す移動局１０Ａの構成１を採用する。
【００４９】
送信方法（５）は、送信方法（３）と類似するが、送信方法（３）のようにパイロットチャネルを直交させる場合には、直交できる数に限りがあるため、直交パイロットチャネルに適用される範囲、すなわちパイロットチャネルを直交できるセクタ数に限りがある。
【００５０】
一方、送信方法（５）のように、互いに異なる系列（コード）を乗算する方法では、直交パイロットチャネルを用いる場合に比較して、異なる系列（コード）を多数取ることができる。これにより、ソフトコンバイニングを行うチャネルの送信対象となるセクタの数が多いとき、たとえば、ＭＢＭＳチャネルのように、比較的広範囲のエリアに対してソフトコンバイニングを行う場合に、有利である。
【００５１】
いずれの送信方法を行う場合も、基地局１０の制御部２１は、入力される位置情報、チャネルの種別等にしたがって、どのセクタをソフトコンバイニングの対象とするかを決定し、選択したセクタに対応する信号生成部において、同一パイロットを生成するか、または通常用いているパイロット信号に直交コードあるいは互いに異なる系列を乗算する。ソフトコンバイニングを行うチャネルについても、複数のセクタにわたって同一チャネルを生成するか、または、パイロットに適用したのと同じ直交コードあるいはパイロットに適用した系列と相関する系列を適用することによって、適宜移動局１０でのソフトコンバイニング受信を可能にする。
【図面の簡単な説明】
【００５２】
【図１】ソフトコンバイニングの適用が可能なチャネルと領域の例を示す図である。
【図２】ソフトコンバイニングを行う場合の送信方法（１）を示す図である。
【図３】移動局の構成例１を示す概略ブロック図である。
【図４】基地局の構成を示す概略ブロック図である。
【図５】ソフトコンバイニングを行う場合の送信方法（２）を示す図である。
【図６】移動局の構成２を示す概略ブロック図である。
【図７】ソフトコンバイニングを行う場合の送信方法（３）を示す図である。
【図８】ソフトコンバイニングを行う場合の送信方法（４）を示す図である。
【図９】ソフトコンバイニングを行う場合の送信方法（５）を示す図である。
【符号の説明】
【００５３】
１０、１０Ａ、１０Ｂ  移動局
１１  パイロットチャネル抽出部
１２Ａ，１２Ｂ  チャネル推定部
１３  チャネル変動補償部
１４  加算器
２０、２０Ａ，２０Ｂ  基地局
２１  制御部
２２−１、２２−２、２２−３  信号生成部
２３−１、２３−２、２３−３  ソフトコンバイニングチャネル用データ生成部
３１  パイロットチャネル
３２  ソフトコンバイニングの対象となるチャネル
【図１】
0004578418.tif 000002
【図２】
0004578418.tif 000003
【図３】
0004578418.tif 000004
【図４】
0004578418.tif 000005
【図５】
0004578418.tif 000006
【図６】
0004578418.tif 000007
【図７】
0004578418.tif 000008
【図８】
0004578418.tif 000009
【図９】
0004578418.tif 000010